(57)【要約】調整式マットレス構造は、マットレス本体を含み、前記マットレス本体は、数個の中空ベース、数個の弾性支持ユニット、数個の調整位置決め板及び数個のばね位置決め体を含む。前記弾性支持ユニットは、第１の封止弾性体及び第２の封止弾性体から構成される。前記第１の封止弾性体は、ばね位置決め体が前記中空ベース上に固定されて第２の封止弾性体が中空ベース内に進入する。前記調整位置決め板は、前記中空ベースの内部に固定されて前記第２の封止弾性体を受け、各調整位置決め板が中空ベース内の位置が異なるようにされ、異なる位置の調整位置決め板により、弾性位置決め体に異なる弾性支持力を発生させ、硬さ及び支持曲線を調整する目的を達成する。【選択図】図２
2018516132.tif 000002
【特許請求の範囲】
【請求項１】
マットレス本体を含む調整式マットレス構造であって、
前記マットレス本体は、数個の中空ベース、数個の弾性支持ユニット及び数個の調整位置決め板を含み、
前記数個の中空ベースは、配列されて前記マットレス本体の長さ及び幅が形成され、前記中空ベースは、頂面及び前側面を少なくとも有し、前記頂面及び前記前側面には、前記中空ベース内部まで貫通した開口が形成され、前記中空ベース内部の両側壁面は、左右に対応する数個のロックスライダがそれぞれ上から下方向へかけて設置され、
前記数個の弾性支持ユニットは、第１の封止弾性体及び第２の封止弾性体を含み、前記第１の封止弾性体及び前記第２の封止弾性体は、頂部及び底部をそれぞれ有し、前記第２の封止弾性体は、前記第１の封止弾性体内部に位置するとともに、前記第２の封止弾性体の底部は、前記第１の封止弾性体の底部を突き抜け、前記第１の封止弾性体は、前記中空ベースの前記頂面に配列固定され、前記第２の封止弾性体の底部が前記中空ベースの前記頂面上の前記開口中に進入され、
前記数個の調整位置決め板は、前記中空ベースの前側面の前記開口を介して挿入され、前記中空ベース内部の両側の前記ロックスライダ上に位置決めされ、各前記中空ベース中には、前記調整位置決め板が設けられ、前記調整位置決め板は、前記第２の封止弾性体の底部下方に位置し、各前記中空ベース内の前記調整位置決め板の高さが調整可能であることを特徴とする、
調整式マットレス構造。
【請求項２】
前記第１の封止弾性体は、封止袋により少なくとも１個のばねを覆い、前記第２の封止弾性体は、前記封止袋により少なくとも１個のばねを覆い、前記第１の封止弾性体及び前記第２の封止弾性体の頂部が互いに接合され、前記第２の封止弾性体が前記第１の封止弾性体内部に吊下げられることを特徴とする請求項１に記載の調整式マットレス構造。
【請求項３】
前記第２の封止弾性体の長さは、前記第２の封止弾性体の長さより大きく、前記第２の封止弾性体の直径は、前記第１の封止弾性体より小さく、第２の封止弾弾性体は、前記第１の封止弾性体内部にあるときだけ、前記第１の封止弾性体と一定の間隔が保持されることを特徴とする請求項１に記載の調整式マットレス構造。
【請求項４】
互いに隣り合う２つの前記中空ベース上には、隙間部材が貼設され、互いに隣り合う２つの前記中空ベースが摩擦により音を発することを防ぐことを特徴とする請求項１に記載の調整式マットレス構造。
【請求項５】
前記中空ベース内部には、弾性キャリアが結合可能であり、前記弾性キャリアの両端は、前記中空ベースの長辺の互いに対応する両面にそれぞれ固定され、前記弾性キャリアが前記中空ベース内部の最上側に位置するとともに、最高高さのロックスライダより高く、前記弾性キャリアは、前記第２の封止弾性体を受けるために用い、前記第２の封止弾性体が落下するときに、前記弾性キャリアにより受けて前記第２の封止弾性体が前記中空ベースの底面に直接落下することを防ぎ、前記調整位置決め板が前記中空ベース中に完全に滑り入ることを防ぐことを特徴とする請求項１に記載の調整式マットレス構造。
【請求項６】
前記中空ベースの前記頂面の前記開口周縁には、位置決め溝が形成され、  前記位置決め溝は、前記第１の封止弾性体の底部を結合して位置決めし、前記第１の封止弾性体を前記中空ベースの前記開口周縁に位置決めすることを特徴とする請求項１に記載の調整式マットレス構造。
【請求項７】
前記中空ベースの前記頂面の前記開口の周縁には、係合部材が設置され、前記係合部材は、前記第１の封止弾性体の底部近くのリング上に掛止され、前記第１の封止弾性体は、前記中空ベース１の前記開口周縁に固定されることを特徴とする請求項１に記載の調整式マットレス構造。
【請求項８】
マットレス本体を含む調整式マットレス構造であって、
前記マットレス本体は、数個の中空ベース、数個の弾性支持ユニット、ばね位置決め体及び数個の調整位置決め板を含み、
前記数個の中空ベースは、配列されて前記マットレス本体の長さ及び幅が形成され、前記中空ベースは、頂面及び前側面を少なくとも有し、前記頂面及び前記前側面には、前記中空ベース内部まで貫通した開口が形成され、前記中空ベース内部の両側壁面は、左右に対応する数個のロックスライダがそれぞれ上から下方向へかけて設置され、前記頂面の前記開口両端には、スライド溝がそれぞれ形成され、
前記数個の弾性支持ユニットは、第１の封止弾性体及び第２の封止弾性体を含み、前記第１の封止弾性体及び前記第２の封止弾性体は、頂部及び底部をそれぞれ有し、前記第２の封止弾性体は、前記第１の封止弾性体内部に位置するとともに、前記第２の封止弾性体の底部は、前記第１の封止弾性体の底部を突き抜け、前記第１の封止弾性体は、前記中空ベースの前記頂面に配列設置され、前記第２の封止弾性体の底部が前記中空ベースの前記頂面上の前記開口中に進入され、
前記ばね位置決め体は、位置決め部を有し、前記位置決め部の両側から第１の弾性クランプ及び第２の弾性クランプが延び、前記第１の弾性クランプ及び前記第２の弾性クランプの端部には、締結ブロックが設置されるとともに、前記第１の弾性クランプと前記第２の弾性クランプとの間には、係合空間が形成され、前記ばね位置決め体の前記位置決め部の底端から２つのスライダ部が延び、前記ばね位置決め体の２個の前記スライダ部をそれぞれ２つの隣り合う前記中空ベースの前記頂面の前記スライド溝中に滑り込ませ、前記開口の両側に位置決めし、２つの互いに隣り合う前記中空ベースが分離せず、前記第１の弾性クランプ及び前記第２の弾性クランプの前記締結ブロックが互いに隣り合う２つの前記第１の封止弾性体の一側にそれぞれ掛止され、互いに隣り合う２つの前記第１の封止弾性体が前記ばね位置決め体の前記係合空間中に位置決めされ、前記第１の封止弾性体が前記中空ベースの前記頂面に安定して固定され、
前記数個の調整位置決め板は、前記中空ベースの前側面の前記開口を介して挿入され、前記中空ベース内部の両側の前記ロックスライダ上に位置決めされ、各前記中空ベース中には、前記調整位置決め板が設けられ、前記調整位置決め板は、前記第２の封止弾性体の底部下方に位置し、各前記中空ベース内の前記調整位置決め板の高さが調整可能であることを特徴とする、
調整式マットレス構造。
【請求項９】
前記ばね位置決め体の２つの前記スライダ部間から隙間部材が下向きに延び、前記隙間部材は、互いに隣り合う２つの前記中空ベース間に位置し、互いに隣り合う２つの前記中空ベースが摩擦により音を発することを防ぐことを特徴とする請求項８に記載の調整式マットレス構造。
【請求項１０】
前記ばね位置決め体の前記スライダ部及び前記中空ベースの前記スライド溝は、形状が互いに対応したダブテール状溝であることを特徴とする請求項８に記載の調整式マットレス構造。
【発明の詳細な説明】
【技術分野】
【０００１】
本発明は、調整式マットレス構造に関し、特に、中空ベース内の調整位置決め板と第２の封止弾性体との間の距離を変えることにより、マットレス本体の異なる位置における硬さ及び支持曲線を調整するマットレス構造に関する。
【背景技術】
【０００２】
現在市販されているばねマットレスは、パッド、ばねフレーム及びエンケースメントを主に含む。各パッドは、ばねフレームの頂、底縁にそれぞれ積層される。エンケースメントは、各パッド及びばねフレームを覆う。エンケースメントは、開口を有する袋状体である。ばねフレームは、頂、底縁が各パッドにそれぞれ積層された後、各パッド及びばねフレームをエンケースメントに設置してからエンケースメントの開口を縫合すると、ばねマットレスが製作される。
【０００３】
上述したばねマットレスのばねフレームは、数個の独立筒を含む。独立筒は、不織布により製作されたエンケースメント内部に嵌合されたばねにより構成される。各ばねユニットを縦横に配列し、互いに隣り合う各独立筒のスリーブが接続される。そのため、ばねフレームが上下方向からの作用力を受けるとき、各独立筒がそれぞれ作用力の大きさに伴い、弾性圧縮変形し、ばねフレームが、ばねマットレス上に横たわる人体の曲線に応じて弾性変形する。
【０００４】
しかし、このようなばねフレームは、調整度がとても低いという欠点を有する。ばねユニット自身が一定の弾性を有し、人体の曲線に応じて弾性変形するが、その表面の各位置の弾性レベルが同じであり、個人の好み及び睡眠習慣に応じてマットレスの弾性レベルを調整することができず、従来のマットレス内の弾性体は、受ける重量により圧縮されるため、人体を支える効果が顕著でなかった。
【０００５】
本出願人が２０１０年８月２３日に出願した中国特許出願第２０１０１０２５９９８７号の「マットレスの構造（以下「引用案」という）」の主な特徴は、「マットレス本体内に固定された固定プレートと、固定プレート上に設けられた少なくとも１個以上の第１の弾性体と、を含み、第１の弾性体の底端には、弾性体収納孔が形成される。固定プレートの下方の可動プレート上には、弾性体収納孔に対応した第２の弾性体が設けられ、可動プレートの底部には、少なくとも１組以上の昇降装置が設けられ、昇降装置により可動プレートを固定プレートへ向けて上昇させると、可動プレート上の第２の弾性体が弾性体収納孔に挿通されて上方へ移動し、マットレスの弾性支持力を高め、第２の弾性体の上下移動により、マットレスの弾性レベルを調整する。」ことにある。
【０００６】
上述の引用案は、手動で調整せずに電動で調整し、本案の全体の構造と異なるため、全体のコストを減らすために、本出願人は、手動で硬さを調整するばねマットレスをさらに開発した。
【０００７】
従って、上述の状況を改善するために、マットレス構造を多数のストライプ配置構造に区分けし、位置決めプレートと封止弾性体との間の距離を調整し、マットレス本体の異なる位置で弾性支持力及び身体支持曲線を調整すると、最良な解決策となるはずである。
【発明の概要】
【発明が解決しようとする課題】
【０００８】
本発明は、数個の中空ベースの配列により、各中空ベース内の調整位置決め板の高さを変え、位置決めプレートと第２の封止弾性体との間の距離を異なるように調整し、弾性支持ユニットの弾性支持力及び人体支持曲線を調整する調整式マットレス構造を提供する。
【課題を解決するための手段】
【０００９】
調整式マットレス構造は、マットレス本体を含み、前記マットレス本体は、数個の中空ベース、数個の弾性支持ユニット及び数個の調整位置決め板を含み、前記数個の中空ベースは、配列されて前記マットレス本体の長さ及び幅が形成され、前記中空ベースは、頂面及び前側面を少なくとも有し、前記頂面及び前記前側面には、前記中空ベース内部まで貫通した開口が形成され、前記中空ベース内部の両側壁面は、左右に対応する数個のロックスライダがそれぞれ上から下方向へかけて設置され、前記数個の弾性支持ユニットは、第１の封止弾性体及び第２の封止弾性体を含み、前記第１の封止弾性体及び前記第２の封止弾性体は、頂部及び底部をそれぞれ有し、前記第２の封止弾性体は、前記第１の封止弾性体内部に位置するとともに、前記第２の封止弾性体の底部は、前記第１の封止弾性体の底部を突き抜け、前記第１の封止弾性体は、前記中空ベースの前記頂面に配列固定され、前記第２の封止弾性体の底部が前記中空ベースの前記頂面上の前記開口中に進入され、前記数個の調整位置決め板は、前記中空ベースの前側面の前記開口を介して挿入され、前記中空ベース内部の両側の前記ロックスライダ上に位置決めされ、各前記中空ベース中には、前記調整位置決め板が設けられ、前記調整位置決め板は、前記第２の封止弾性体の底部下方に位置し、各前記中空ベース内の前記調整位置決め板の高さが調整可能である。
【００１０】
好適な実施例において、前記第１の封止弾性体は、封止袋により少なくとも１個のばねを覆い、前記第２の封止弾性体は、前記封止袋により少なくとも１個のばねを覆い、前記第１の封止弾性体及び前記第２の封止弾性体の頂部が互いに接合され、前記第２の封止弾性体が前記第１の封止弾性体内部に吊下げられる。
【００１１】
好適な実施例において、前記第２の封止弾性体の長さは、前記第２の封止弾性体の長さより大きく、前記第２の封止弾性体の直径は、前記第１の封止弾性体より小さく、第２の封止弾弾性体は、前記第１の封止弾性体内部にあるときだけ、前記第１の封止弾性体と一定の間隔が保持される。
【００１２】
好適な実施例において、互いに隣り合う２つの前記中空ベース上には、隙間部材が貼設され、互いに隣り合う２つの前記中空ベースが摩擦により音を発することを防ぐ。
【００１３】
好適な実施例において、前記中空ベース内部には、弾性キャリアが結合可能であり、前記弾性キャリアの両端は、前記中空ベースの長辺の互いに対応する両面にそれぞれ固定され、前記弾性キャリアが前記中空ベース内部の最上側に位置するとともに、最高高さのロックスライダより高く、前記弾性キャリアは、前記第２の封止弾性体を受けるために用い、前記第２の封止弾性体が落下するときに、前記弾性キャリアにより受けて前記第２の封止弾性体が前記中空ベースの底面に直接落下することを防ぎ、前記調整位置決め板が前記中空ベース中に完全に滑り入ることを防ぐ。
【００１４】
好適な実施例において、前記中空ベースの前記頂面の前記開口周縁には、位置決め溝が形成され、前記位置決め溝は、前記第１の封止弾性体の底部を結合して位置決めし、前記第１の封止弾性体を前記中空ベースの前記開口周縁に位置決めする。
【００１５】
好適な実施例において、前記中空ベースの前記頂面の前記開口の周縁には、係合部材が設置され、前記係合部材は、前記第１の封止弾性体の底部近くのリング上に掛止され、前記第１の封止弾性体は、前記中空ベース１の前記開口周縁に固定される。
【００１６】
調整式マットレス構造は、マットレス本体を含み、前記マットレス本体は、数個の中空ベース、数個の弾性支持ユニット、ばね位置決め体及び数個の調整位置決め板を含み、前記数個の中空ベースは、配列されて前記マットレス本体の長さ及び幅が形成され、前記中空ベースは、頂面及び前側面を少なくとも有し、前記頂面及び前記前側面には、前記中空ベース内部まで貫通した開口が形成され、前記中空ベース内部の両側壁面は、左右に対応する数個のロックスライダがそれぞれ上から下方向へかけて設置され、前記頂面の前記開口両端には、スライド溝がそれぞれ形成され、前記数個の弾性支持ユニットは、第１の封止弾性体及び第２の封止弾性体を含み、前記第１の封止弾性体及び前記第２の封止弾性体は、頂部及び底部をそれぞれ有し、前記第２の封止弾性体は、前記第１の封止弾性体内部に位置するとともに、前記第２の封止弾性体の底部は、前記第１の封止弾性体の底部を突き抜け、前記第１の封止弾性体は、前記中空ベースの前記頂面に配列設置され、前記第２の封止弾性体の底部が前記中空ベースの前記頂面上の前記開口中に進入され、前記ばね位置決め体は、位置決め部を有し、前記位置決め部の両側から第１の弾性クランプ及び第２の弾性クランプが延び、前記第１の弾性クランプ及び前記第２の弾性クランプの端部には、締結ブロックが設置されるとともに、前記第１の弾性クランプと前記第２の弾性クランプとの間には、係合空間が形成され、前記ばね位置決め体の前記位置決め部の底端から２つのスライダ部が延び、前記ばね位置決め体の２個の前記スライダ部をそれぞれ２つの隣り合う前記中空ベースの前記頂面の前記スライド溝中に滑り込ませ、前記開口の両側に位置決めし、２つの互いに隣り合う前記中空ベースが分離せず、前記第１の弾性クランプ及び前記第２の弾性クランプの前記締結ブロックが互いに隣り合う２つの前記第１の封止弾性体の一側にそれぞれ掛止され、互いに隣り合う２つの前記第１の封止弾性体が前記ばね位置決め体の前記係合空間中に位置決めされ、前記第１の封止弾性体が前記中空ベースの前記頂面に安定して固定され、前記数個の調整位置決め板は、前記中空ベースの前側面の前記開口を介して挿入され、前記中空ベース内部の両側の前記ロックスライダ上に位置決めされ、各前記中空ベース中には、前記調整位置決め板が設けられ、前記調整位置決め板は、前記第２の封止弾性体の底部下方に位置し、各前記中空ベース内の前記調整位置決め板の高さが調整可能である。
【００１７】
好適な実施例において、前記ばね位置決め体の２つの前記スライダ部間から隙間部材が下向きに延び、前記隙間部材は、互いに隣り合う２つの前記中空ベース間に位置し、互いに隣り合う２つの前記中空ベースが摩擦により音を発することを防ぐ。
【００１８】
好適な実施例において、前記ばね位置決め体の前記スライダ部及び前記中空ベースの前記スライド溝は、形状が互いに対応したダブテール状溝である。
【図面の簡単な説明】
【００１９】
【図１】本発明の調整式マットレス構造を示す斜視図である。
【図２】本発明の調整式マットレス構造の部分構造を示す側面図である。
【図３】本発明の調整式マットレス構造の部分構造を示す側面図である。
【図４】本発明の調整式マットレス構造のばね位置決め体が隙間部材を有する図である。
【図５】本発明の調整式マットレス構造に結合された弾性キャリアを示す図である。
【図６】本発明の調整式マットレス構造の他の実施例を示す図である。
【図７】本発明の調整式マットレス構造の他の実施例を示す図である。
【図８】本発明の調整式マットレス構造の実際に使用するときの図である。
【発明を実施するための形態】
【００２０】
本発明の他の技術内容、特徴及び効果について、以下、図面を参照しながら好適な実施例の詳細な説明で明らかにする。
【００２１】
図１、図２及び図３は、本発明の調整式マットレス構造の部分構造を示す。
図から分かるように、調整式マットレス構造は、マットレス本体１００を含む。マットレス本体１００は、数個の中空ベース１、数個の弾性支持ユニット２、数個の調整位置決め板３及び数個のばね位置決め体４から構成されてなる。数個の中空ベース１は、配列されてマットレス本体１００の長さ及び幅が形成される。
中空ベース１は、頂面１１及び前側面１２を少なくとも有する。中空ベース１の頂面１１及び前側面１２は、中空ベース１内部まで貫通した開口１１１，１２１が形成される。頂面１１の開口１１１の両端には、スライド溝１１２がそれぞれ形成される。中空ベース１内部の両側壁面は、上から下方向へかけて数個の左右に対応するロックスライダ１３がそれぞれ設置され、調整位置決め板３の高さを調整する位置決め機構が形成されている。
【００２２】
図１〜図３から分かるように、調整位置決め板３は、中空ベース１の前側面１２の開口１２１を介してロックスライダ１３中に滑り込ませることができるとともに、適切な高さのロックスライダ１３を選択して結合位置決めし、各中空ベース１内の調整位置決め板３は、同じ又は異なる高さにある。
【００２３】
図１〜図３から分かるように、中空ベース１の頂面１１上には、弾性支持ユニット２が設置される。弾性支持ユニット２は、第１の封止弾性体２１及び第２の封止弾性体２２を含む。第１の封止弾性体２１及び第２の封止弾性体２２は、頂部２１１，２２１及び底部２１２，２２２をそれぞれ有する。第２の封止弾性体２２の頂部２２１は、第１の封止弾性体２１の頂部２１１と接合され、第２の封止弾性体２２が吊下モードにより第１の封止弾性体２１内部に位置決めされるとともに、第２の封止弾性体２２の底部２２２は、第１の封止弾性体２１の底部２１２を突き抜ける。
【００２４】
また、第２の封止弾性体２２は、第１の封止弾性体２１内部に吊下げるのは本案の単なる好ましい実施例であり、本案の特許請求の範囲を何ら制限せず、第２の封止弾性体２２が第１の封止弾性体２１内部に位置する限り、本案の特許請求の範囲内に含まれる。
【００２５】
図１〜図３に示す第１の封止弾性体２１及び第２の封止弾性体２２は、封止袋が少なくとも１個のばねを覆う（図中の点線状は封止袋であり、内部リング構造はばねであり、ばねは、封止袋で覆われ、封止袋は不織布又はその他織物材料でもよい）。
【００２６】
ばね位置決め体４は、位置決め部４１を有する。位置決め部４１の両側から第１の弾性クランプ４２及び第２の弾性クランプ４３が延びる。第１の弾性クランプ４２及び第２の弾性クランプ４３の端部には、締結ブロック４２１，４３１が設置されるとともに、第１の弾性クランプ４２と第２の弾性クランプ４３との間に係合空間４４が形成される。ばね位置決め体４の位置決め部４１の底端から２つのスライダ部４５が延び、ばね位置決め体４の２個のスライダ部４５をそれぞれ２つの隣り合う中空ベース１の頂面１１のスライド溝１１２中に滑り込ませ、開口１１１の両側に位置決めされ、２つの互いに隣り合う中空ベース１が分離せず、第１の弾性クランプ４２及び第２の弾性クランプ４３の締結ブロック４２１，４３１が互いに隣り合う２つの第１の封止弾性体２１の一側にそれぞれ掛止される。互いに隣り合う２つの第１の封止弾性体２１がばね位置決め体４の係合空間４４中に位置決めされ、第１の封止弾性体２１が中空ベース１の頂面１１に安定して固定され、第２の封止弾性体２２は、中空ベース１の頂面の開口１１１を介して中空ベース１中に進入されるため、各弾性支持ユニット２が中空ベース１の頂面１１上に順次位置決めされる。
【００２７】
中空ベース１の頂面１１上に弾性支持ユニット２が設置されると、第１の封止弾性体２１の底部２１２が中空ベース１の頂面１１と接触され、第２の封止弾性体２２の底部２２２が中空ベース１の頂面１１上の開口１１１を介して挿入される。開口１１１に挿入される第２の封止弾性体２２の底部２２２は、調整位置決め板３の上方に位置するか、調整位置決め板３に当接される。
【００２８】
図１に示すように、全ての弾性支持ユニット２は、中空ベース１の頂面１１上に設置された後、互いに隣り合う２つの中空ベース１が、ばね位置決め体４のスライダ部４５により連結位置決めされ、互いに隣り合う２つの中空ベース１は互いに結合され、最終的にマットレスエンケースメント５により覆われてマットレス本体１００が形成される。
【００２９】
また、図４に示すように、互いに隣り合う２つの中空ベース１が互いに摩擦されて音を発することを防ぐために、互いに隣り合う２つの中空ベース１上に１層の隙間部材が貼設されるか、ばね位置決め体４の２つのスライダ部４５間から隙間部材４６が下向きに延ばされ、互いに隣り合う２つの中空ベース１が摩擦により雑音を発することを防ぐことができる。他の構造については図３と同じであるため、ここでは省略する。
【００３０】
図５を参照する。図５は、図１〜図３と異なり、中空ベース１内部には、弾性キャリア６が結合可能である。
弾性キャリア６の両端には、中空ベース１の長辺の互いに対応する両面がそれぞれ固定され、弾性キャリア６が中空ベース１内部の最上側に位置するとともに、最高高さのロックスライダ１３より高くてもよい。弾性キャリア６は、主に第２の封止弾性体２２を受けるために用いる。第２の封止弾性体２２が落下すると、弾性キャリア６により受けて第２の封止弾性体２２が中空ベース１の底面に直接落下することを防ぎ、調整位置決め板３が中空ベース１中に完全に滑り入ることを防ぐ。弾性キャリア６が弾性を有するため、第２の封止弾性体２２が力を受けて押下すると、弾性キャリア６の弾性に打ち勝って下方へ移動し、調整位置決め板３により当接され、元の機能に影響を与えない。他の構造については、図１〜図３と同じであるため、ここでは省略する。
【００３１】
また、上述のばね位置決め体４のスライダ部４５及び中空ベース１のスライド溝１１２は、形状が互いに対応したダブテール状溝であり、スライダ部４５がスライド溝１１２中でのみ摺動可能であり、スライド溝１１２から直接取り出すことができない。
【００３２】
図６を参照する。図６は、図１〜図３と異なり、ばね位置決め体４を使用せず、中空ベース１の頂面１１の開口１１１の周縁に位置決め溝１１３を直接設置する。
位置決め溝１１３が第１の封止弾性体２１の底部２１２に直接結合されて位置決めされ、第１の封止弾性体２１が中空ベース１の開口１１１の周縁に位置決めされる。他の構造については、図１〜図３と同じであるため、ここでは省略する。
【００３３】
図７を参照する。図７は、図１〜図３と異なり、ばね位置決め体を使用せず、中空ベース１の頂面１１の開口１１１周縁に係合部材１１４を設置する。
係合部材１１４は、第１の封止弾性体２１の底部２１２近くのリング上に掛止され、第１の封止弾性体２１を中空ベース１の開口周縁に固定する。他の構造については、図１〜図３と同じであるため、ここでは省略する。
【００３４】
図８を参照する。図８に示すように、ユーザ７がマットレス本体１００上に横たわるとき、まず、弾性支持ユニット２の第１の封止弾性体２１により使用者の重量を支え、第２の封止弾性体２２は、圧力を受けて下方へ移動し、調整位置決め板３に当接され、各中空ベース１内の調整位置決め板３の高さが、ユーザ７の身体の曲線に合わせて手動で調整することができる。そのため、ユーザ７の身体の異なる位置（領域）が対応する中空ベース１内部の調整位置決め板３の高さも異なる。
調整位置決め板３と、第２の封止弾性体２２の底部２２２との距離が近くなる場合、圧力が第２の封止弾性体２２の頂部２２１から下がってくると、第２の封止弾性体２２により弾性圧縮の距離が短くなり、反対に、調整位置決め板３を調整して下方へ移動させ、第２の封止弾性体２２の底部２２２と調整位置決め板３との間の距離が増え、調整位置決め板３が各中空ベース１上の異なる高さ位置にあるため、弾性支持ユニット２に発生する弾力を変えることができ、各弾性支持ユニット２に発生する弾力が異なり、マットレス本体１００の硬さ及び人体を支える曲線を調整し、快適に睡眠することができる。
【００３５】
本発明は上述した実施例により開示したが、これらは決して本発明を限定するものではない。当該技術を熟知するものなら誰でも、本発明の前述した技術的特徴及び実施例を理解し、本発明の主旨と領域を逸脱しない範囲内で各種の変更や修正を加えることができるため、本発明の特許の保護範囲は、本明細書に添付した請求項で指定した内容を基準とする。
【符号の説明】
【００３６】
１００  マットレス本体
１      中空ベース
１１    頂面
１１１  開口
１１２  スライド溝
１１３  位置決め溝
１１４  係合部材
１２    前側面
１２１  開口
１３    ロックスライダ
２      弾性支持ユニット
２１    第１の封止弾性体
２１１  頂部
２１２  底部
２２    第２の封止弾性体
２２１  頂部
２２２  底部
３      調整位置決め板
４      ばね位置決め体
４１    位置決め部
４２    第１の弾性クランプ
４２１  締結ブロック
４３    第２の弾性クランプ
４３１  締結ブロック
４４    位置決め空間
４５    スライダ部
４６    隙間部材
５      マットレスエンケースメント
６      弾性キャリア
７      ユーザ
【図１】
2018516132.tif 000003
【図２】
2018516132.tif 000004
【図３】
2018516132.tif 000005
【図４】
2018516132.tif 000006
【図５】
2018516132.tif 000007
【図６】
2018516132.tif 000008
【図７】
2018516132.tif 000009
【図８】
2018516132.tif 000010
【国際調査報告】
2018516132.tif 000011
2018516132.tif 000012
2018516132.tif 000013
2018516132.tif 000014
2018516132.tif 000015
2018516132.tif 000016